(57)【要約】【課題】  オーディオ属性の変更があってもそれに対応して適切に再生することができる「オーディオ装置およびオーディオ装置における再生方法」を提供する。【解決手段】  オーディオ装置は、入力オーディオ信号をデコードしディジタルオーディオ信号を出力するＤＶＤプレーヤー１と、ディジタルオーディオ信号に基づきアナログオーディオ信号を出力するオーディオアンプと、オーディオ属性の変更があったことを検出するオーディオデコーダー４０と、属性変更が検出されたときオーディオアンプの出力をミュートし、かつデコーダーの動作を一時停止させる手段（７０）と、ミュート手段が実行されている間に、変更後のオーディオ属性に対応するようにオーディオアンプの動作条件を変更する手段（７０）とを有する。【選択図】      図１
2005084459.tif 000002
【特許請求の範囲】
【請求項１】
入力オーディオ信号をデコードし、ディジタルオーディオ信号を出力する再生手段と、
前記再生手段からのディジタルオーディオ信号に基づきアナログオーディオ信号を出力するオーディオ出力手段と、
前記入力オーディオ信号のオーディオ属性の変更があったことを検出する検出手段と、
前記検出手段によりオーディオ属性の変更が検出されたことに応答して前記オーディオ出力手段から出力されるアナログオーディオ信号をミュートするミュート手段と、
前記検出手段によりオーディオ属性の変更が検出されたことに応答して前記再生手段のデコードを停止させるデコード停止手段と、
前記ミュート手段が実行されている間に、変更されたオーディオ属性に対応するように前記オーディオ出力手段の動作設定を変更する手段と、
を有するオーディオ装置。
【請求項２】
オーディオ装置はさらに、前記ミュート手段によるミュートを解除する手段と、ミュート解除後に変更されたオーディオ属性を有する入力オーディオ信号のデコードを開始させるデコード再開手段とを有する、請求項１に記載のオーディオ装置。
【請求項３】
前記再生手段は、デコードされたオーディオ信号を記憶する出力バッファを有し、前記ミュート手段によるミュートは、前記出力バッファから変更前のオーディオ属性のディジタルオーディオ信号が出力される前に行われる、請求項１または２に記載のオーディオ装置。
【請求項４】
入力オーディオ信号をデコードし、ディジタルオーディオ信号を出力する再生手段と、
前記再生手段からのディジタルオーディオ信号に基づきアナログオーディオ信号を出力するオーディオ出力手段と、
入力オーディオ信号についてオーディオ属性の変化が生じたときに、前記再生手段のデコードを停止させるデコード停止手段と、
変更されたオーディオ属性に対応するように前記オーディオ出力手段の動作設定を変更する手段と、
前記オーディオ出力手段の動作設定の変更後に停止されたデコードを再開させ、変更されたオーディオ属性を有する入力オーディオ信号をデコードさせるデコード再開手段と、
を有するオーディオ装置。
【請求項５】
前記デコード再開手段は、変更されたオーディオ属性を有するオーディオ信号の先頭からデコードを開始する、請求項１、２、３または４に記載のオーディオ装置。
【請求項６】
前記再生手段は、記録媒体に記録されたコンテンツデータを読取り可能であり、読取られるコンテンツデータが変更されるときに、オーディオ属性の変更が生じる、請求項１、２、３、４または５に記載のオーディオ装置。
【請求項７】
前記再生手段は、ＤＶＤに記録されたデータを再生するＤＶＤ再生装置を含み、前記オーディオ出力手段はオーディオアンプを含む、請求項１、２、３、４、５または６に記載のオーディオ装置。
【請求項８】
入力オーディオ信号をデコードしディジタルオーディオ信号を出力する再生手段と、前記再生手段からのディジタルオーディオ信号に基づきアナログオーディオ信号を出力するオーディオ出力手段とを有するオーディオ装置における再生方法であって、
入力オーディオ信号のオーディオ属性の変更の変更があったことを検出するステップと、
オーディオ属性の変更が検出されたとき、オーディオ出力手段から出力されるアナログオーディオ信号をミュートするステップと、
前記ミュートが実行されている間に、変更されたオーディオ属性に対応するように前記オーディオ出力手段の動作設定を変更するステップとを有する再生方法。
【請求項９】
前記ミュートが実行されている間に前記再生手段におけるデコードを停止させ、前記ミュートの実行が終了された後に前記再生手段におけるデコードを再開させるステップを含む、請求項８に記載の再生方法。
【請求項１０】
入力オーディオ信号をデコードしディジタルオーディオ信号を出力する再生手段と、前記再生手段からのディジタルオーディオ信号に基づきアナログオーディオ信号を出力するオーディオ出力手段とを有するオーディオ装置における再生方法であって、
入力オーディオ信号のオーディオ属性の変化が生じたときに前記再生手段のデコードを停止させるステップと、
変更されたオーディオ属性に対応するように前記オーディオ出力手段の動作設定を変更するステップと、
前記動作設定の変更後に、前記停止されたデコードを再開させるステップとを有する、再生方法。
【発明の詳細な説明】
【技術分野】
【０００１】
本発明は、スピーカ等を駆動するためのオーディオ信号を出力するオーディオ装置に関し、特に、記録媒体から読み出すコンテンツデータのオーディオ属性の変更に対応することができるオーディオ装置に関する。
【背景技術】
【０００２】
図５は、従来のオーディオ装置の概略構成を示すブロック図である。同図において、オーディオ装置１００は、ＤＶＤに記録されたディジタルデータを再生するＤＶＤプレーヤー１１０と、ＤＶＤプレーヤー１１０から送られてくるオーディオ信号Ｄ１を受信し、これをＤＡ変換等を行いアナログオーディオ信号Ａ２を出力するオーディオアンプ１２０と、ＤＶＤプレーヤー１１０およびオーディオアンプ１２０を制御するシステムコントロールＣＰＵ１３０とを含んで構成される。
【０００３】
ＤＶＤプレーヤー１１０のディジタルポートからはディジタルオーディオ信号Ｄ１が出力され、ディジタルオーディオ信号Ｄ１は、ＩＥＥＥ１３９４やＳＰＤＩＦ等の伝送ケーブルを介してオーディオアンプ１２０へ伝送される。またＤＶＤプレーヤー１１０のアナログポートからはＤＡＣ用オーディオ信号Ａ１が出力される。ＤＡＣ用オーディオ信号Ａ１は、例えばディジタル送信モジュール１４０によりディジタル信号に変換され、ディジタル伝送される。そして、ディジタル受信モジュール１５０により再びアナログ信号に変換され、オーディオアンプ１２０へ入力される。オーディオアンプ１２０は、再生されるオーディオ信号の属性に応じた処理を行うべくＤＳＰやオーディオプロセッサを含み、スピーカを駆動するためのアナログオーディオ出力Ａ２を生成する。
【０００４】
ＤＶＤプレーヤー１１０によって再生されるＤＶＤ−ＶｉｄｅｏやＤＶＤ−Ａｕｄｉｏでは、タイトルやトラックの変更、および音声切り替え等によりオーディオストリームの属性に変更が生じることがある。例えば、サンプリング周波数（ｆｓ）、量子化ビット数（Ｑｂ）、圧縮フォーマット（ＤｏｌｂｙやＤＴＳ）、チャンネル数の変更である。このようなオーディオ属性の変更があった場合、これに応じてオーディオアンプ１２０側の設定を変更しなければならない。
【０００５】
ディジタルオーディオ出力においてオーディオ属性の変更があった場合、この変更はオーディオアンプ１２０において、入力したディジタルオーディオ信号をデコードすることによって検出される。オーディオ属性の変更が検出されると、それに合わせてオーディオアンプ１２０のＤＳＰ等のプログラム等の設定が変更される。例えば、オリジナルコンテンツのチャンネル数に応じて、オーディオＤＳＰの処理（例えば、リアフィル（Rear Fill）やバイファントム(Bi Phantom)など）のオン／オフを切替えたり、オリジナルコンテンツのオーディオフォーマットに応じてプロロジック（Pro Logic）等のオン／オフを切替える。
【０００６】
他方、アナログオーディオ出力の場合、ＤＶＤプレーヤー１１０は、内部のＤＡＣ（Digital Analog Converter）の設定変更やクロック切り替え等を行ってタイミング調整して出力する。そして、ＤＶＤプレーヤー１１０からシステムコントロールＣＰＵ１３０に対してオーディオ属性の変更があったことを示す制御信号Ｓ１が出力され、さらにシステムコントロールＣＰＵ１３０からオーディオアンプ１２０に対してオーディオ属性の変更を指示する制御信号Ｓ２が出力される。
【０００７】
オーディオ属性の変更に関して、例えば特許文献１は、伝送中に送信データのサンプリング周波数が変化した場合に、受信装置（アンプ）側でそれを検出し、その検出結果に応答して受信装置のバッファへのデータの読み書きの停止、基準クロック周波数の切り替え、およびバッファへのデータの読み書きの再開等を制御し、音声再生が途切れることがないような高品位な音声再生を行うことを開示している。
【０００８】
【特許文献１】特開２００２−３４４５６１
【発明の開示】
【発明が解決しようとする課題】
【０００９】
しかしながら、従来のオーディオ装置には次のような課題がある。ＤＶＤプレーヤー１１０は、例えばトラック境界においてチャンネル数、フォーマット等に変更が生じた場合でも、再生を一時停止することなく連続させている。オーディオアンプ１２０は、ディジタルオーディオ信号をデコードして始めてオーディオ属性の変更を知ることになり、そこから内部設定を変更するには一定の時間、例えば数百ｍｓを必要とする。その結果、オーディオアンプ１２０は、オーディオ属性変更後のオーディオ信号の先頭部分を、その変更に応じた設定で処理をすることができず、先頭部分の再生をうまく行えないという課題がある。
【００１０】
他方、アナログオーディオ出力の場合でも、オーディオ属性の変更後のチャンネル数とフォーマットは、システムコントロールＣＰＵ１３０から情報要求があった場合に事後通知され、システムコントロールＣＰＵ１３０からオーディオアンプ１２０に対して数百ｍｓ後にオーディオ属性の変更が知らされることになる。そして、オーディオアンプ１２０が設定変更を行うには数百ｍｓの時間が必要となり、その後に、音声が出力されることになる。
【００１１】
図６（ａ）は、チャンネル数が２チャンネルおよびフォーマットがＬＰＣＭであるトラック＃ｎから、チャンネル数が６チャンネルおよびフォーマットがＭＬＰであるトラック＃ｎ+１へのオーディオ属性の変更を示している。従来仕様では、オーディオ属性の変更点、すなわち、チャンネル数とフォーマットが変更されるトラック＃ｎ+１に入ったときに、オーディオアンプ１２０は変更前の設定情報（２ｃｈ、ＬＰＣＭ）に基づいて変更点から一定期間（Ｔ１）の再生を行い、さらに新たな設定変更のための期間（Ｔ２）として数百ｍｓがミュートされ、その後に変更後の設定情報（６ｃｈ、ＭＬＰ）による音声再生が行われることになる。従って、トラック＃ｎ+１において、不具合発生期間Ｔ３（Ｔ１+Ｔ２）、すなわち先頭部分の再生劣化もしくは再生不良が生じてしまう。
【００１２】
本発明は、上記従来技術の課題を解決し、オーディオ属性の変更があってもそれに対応して適切にオーディオ信号を再生することができるオーディオ装置およびオーディ装置における再生方法を提供することを目的とする。
【課題を解決するための手段】
【００１３】
本発明に係るオーディオ装置は、入力オーディオ信号をデコードし、ディジタルオーディオ信号を出力する再生手段と、再生手段からのディジタルオーディオ信号に基づきアナログオーディオ信号を出力するオーディオ出力手段と、入力オーディオ信号のオーディオ属性の変更があったことを検出する検出手段と、検出手段によりオーディオ属性の変更が検出されたことに応答して前記オーディオ出力手段から出力されるアナログオーディオ信号をミュートするミュート手段と、オーディオ属性の変更の検出に応答して再生手段のデコードを停止させるデコード停止手段と、ミュート手段が実行されている間に、変更後のオーディオ属性に対応するように前記オーディオ出力手段の動作条件を変更する手段とを有する。
【００１４】
好ましくはオーディオ装置はさらに、ミュート手段によるミュートを解除する手段と、ミュート解除後に変更後のオーディオ属性を有する入力オーディオ信号のデコードを再開させるデコード再開手段とを有する。
【００１５】
他の発明に係るオーディオ装置は、入力オーディオ信号をデコードし、ディジタルオーディオ信号を出力する再生手段と、再生手段からのディジタルオーディオ信号に基づきアナログオーディオ信号を出力するオーディオ出力手段と、入力オーディオ信号についてオーディオ属性の変化が生じたときに、再生手段のデコードを停止させるデコード停止手段と、変更されたオーディオ属性に対応するように前記オーディオ出力手段の動作設定を変更する手段と、オーディオ出力手段の動作設定の変更後に停止されたデコードを再開させ、変更されたオーディオ属性を有する入力オーディオ信号をデコードさせるデコード再開手段とを有している。
【００１６】
好ましくは再生制御手段は、変更後のオーディオ属性を有するオーディオ信号のトラックをサーチするように前記再生手段を制御する。
【００１７】
さらに本発明に係るオーディオ装置における再生方法は、入力オーディオ信号をデコードしディジタルオーディオ信号を出力する再生手段と、前記再生手段からのディジタルオーディオ信号に基づきアナログオーディオ信号を出力するオーディオ出力手段とを有するオーディオ装置において、次のステップを有する。入力オーディオ信号のオーディオ属性の変更の変更があったことを検出するステップと、オーディオ属性の変更が検出されたとき、オーディオ出力手段から出力されるアナログオーディオ信号をミュートするステップと、前記ミュートが実行されている間に、変更されたオーディオ属性に対応するように前記オーディオ出力手段の動作設定を変更するステップとを有する。
【発明の効果】
【００１８】
本発明によれば、オーディオ属性の変更を検出したときに、再生手段のデコードを一時停止させ、かつオーディオ出力手段の出力をミュートさせることで、その間に変更されたオーディオ属性に対応するようにオーディオ出力手段の動作設定を変更するようにしたので、変更後のオーディオ属性を有する入力オーディオ信号を先頭から途切れることなく再生することができる。
【発明を実施するための最良の形態】
【００１９】
以下、本発明の実施の形態について詳細に説明する。本発明に係るオーディオ装置は、オーディオ信号を送信する送信装置として好ましくはＤＶＤプレーヤーを用い、オーディオ信号を受信する受信装置として好ましくはオーディオアンプを用いて実現される。
【実施例】
【００２０】
図１は、本発明のＤＶＤプレーヤーの内部構成を示すブロック図である。同図において、ＤＶＤプレーヤー１は、ＤＶＤから読み出されたビットストリームＤｉｎを入力し、これをビデオ信号とオーディオ信号に分離するＤＥＭＵＸ（ディマルチプレクサ）１０と、ＤＥＭＵＸ１０からのビデオ信号を入力しＭＰＥＧ方式により圧縮されたビデオ信号をデコード（伸長）するＭＰＥＧデコーダー２０と、デコードされたビデオ信号を数フィールド分または数フレーム分だけ蓄えてこれを出力するビデオ出力バッファ３０と、ＤＥＭＵＸ１０からのオーディオ信号を入力しこれをデコードするオーディオデコーダー４０と、デコードされたオーディオ信号を蓄積し、オーディオマスタークロック６０からの基準クロックに同期してオーディオ信号を出力するオーディオ出力バッファ６０と、コンテンツのサンプリング周波数に対応し、幾つかの基準周波数（４４．１ＫＨｚや４８ＫＨｚ等）を出力するオーディオマスタークロック６０とを含んで構成される。
【００２１】
システムコントロールＣＰＵ７０は、ＤＶＤプレーヤー１およびオーディオアンプ（図示省略）に電気的に接続され、これらの間でデータや制御信号等の送受を可能としている。オーディオデコーダー４０が入力されたオーディオ信号をデコードした結果、そのオーディオ属性が従前のものと異なるとき、オーディオデコーダー４０はシステムコントロールＣＰＵ７０に対して属性変更を示すスタンバイ通知をデータ線４２を介して出力する。システムコントロールＣＰＵ７０は、ＭＰＥＧビデオデコーダー２０およびオーディオデコーダー４０に対して、デコードの停止や再開をさせるための指示や出力バッファへデータを転送させるための指示を制御信号７２により行う。また、システムコントロールＣＰＵ７０は、オーディオ属性の変更があったときに、オーディオマスタークロック６０の設定条件を変更するための指示を制御信号７４を介して行う。さらにシステムコントロールＣＰＵは、オーディオアンプに対して各種の指示を行うための制御信号７６を出力する。
【００２２】
次に、第１の実施例におけるオーディオ属性変更時の動作を、図２のフローチャートおよび図３の各部の動作シーケンスを参照して説明する。説明の前提として、図３に示すように、オリジナルコンテンツのトラック＃ｎとトラック＃ｎ+１はそれぞれオーディオ属性を異にし、トラック＃ｎからトラック＃ｎ+１へ移行するときに、サンプリング周波数ｆｓ、チャンネル数ｃｈ、フォーマット等のいずれか１つのオーディオ属性が変更するものとする。ここでいうチャンネル数ｃｈは、１ｃｈとか６ｃｈという総チャンネル数ではなく、Ｌｆ／Ｒｆ／ｃ／ＬＦＥ／Ｌｓ／Ｒｓのチャンネルの構成を意味するものである。なお、オーディオ属性の変更は、連続再生時におけるトラックの移行に限らず、これ以外にもディスク上のトラックをサーチするときやディスクの再生開始時においても生じ得るものである。
【００２３】
ＤＶＤプレーヤー１において、トラック＃ｎについての再生が行われる（ステップＳ１０１）。トラック＃ｎから読み出されたビットストリームＤｉｎは、ＤＥＭＵＸ１０によってビデオ信号とオーディオ信号に分離され、ビデオ信号はＭＰＥＧビデオデコーダー２０によってデコードされた後、ビデオ出力バッファ３０に蓄積され、一定の読出し速度にて出力される。他方、オーディオ信号はオーディオデコーダー４０によってデコードされた後、オーディオ出力バッファ５０からマスタークロックに同期して出力される。
【００２４】
オーディオデコーダー４０は、そのデコード結果からオーディオ属性が異なるか否かを検出する。トラック＃ｎからトラック＃ｎ+１へ移行したとき、オーディオデコーダー４０は、オーディオ属性の変更を検出し（ステップＳ１０２）、システムコントロールＣＰＵ７０に対してオーディオ属性の変更があったことを示すスタンバイ通知をデータ線４２を介して出力する（ステップＳ１０３、図３の矢印１）。スタンバイ通知が出力されたとき、トラック＃ｎのオーディオ信号の一部は未だ後段の出力バッファ５０に蓄積されている。このため、スタンバイ通知は、実際にはトラック＃ｎが終了する５〜１０ｍｓ（ｔ）前に出力されたことになる。
【００２５】
システムコントロールＣＰＵ７０は、スタンバイ通知を受け取ると、オーディオアンプに対してオーディオ出力をミュートさせる指示を与える（ステップＳ１０４、図３の矢印２）。オーディオアンプは、この指示に従いアナログ出力をミュートするため、トラック＃ｎの終わりの一部が消音される。さらに、システムコントロールＣＰＵ７０は、オーディオデコーダー４０およびＭＰＥＧデコーダー２０に対して制御線７２を介してデコード処理を一時停止する指示を与える（ステップＳ１０５、図３の矢印３）。この指示が与えられるまでの間に、オーディオデコーダー４０およびＭＰＥＧデコーダー２０は、トラック＃ｎ+１の一部を既にデコードしているが、そこでデコード動作を停止する。従って、ＤＶＤプレーヤー１からはビデオ出力およびオーディオ出力は生じない。
【００２６】
次に、システムコントロールＣＰＵ７０は、トラック＃ｎ+１のオーディオ属性等を知るためにステータス呼出を制御線７２を介して出力する（ステップＳ１０６、図３の矢印４）。ＤＶＤプレーヤー１は、この呼出に応答して、トラック＃ｎ+１のオーディオ属性をシステムコントロールＣＰＵ７０へ送信する（ステップＳ１０７、図３の矢印５）。システムコントロールＣＰＵ７０は、受け取ったオーディオ属性をもとに、オーディオアンプの設定を変更するための指示を制御線７６を介して出力する（ステップＳ１０８、図３の矢印６）。オーディオアンプは、その指示に従い動作設定を変更し、その設定変更後、システムコントロールＣＰＵ７０は、ミュートを解除する旨の指示をオーディオアンプに与える（ステップＳ１０９、図３の矢印７）。
【００２７】
システムコントロールＣＰＵ７０は、ＤＶＤプレーヤー１から受け取ったステータスを元に、トラック＃ｎ+１のサーチコマンドまたはメニュー呼出コマンドを送信し、かつ、ＭＰＥＧデコーダー２０およびオーディオデコーダー４０に対してデコード動作を再開する旨の指示を与える（ステップＳ１１０、図３の矢印８）。
【００２８】
これにより、オーディオデコーダー４０およびＭＰＥＧデコーダー２０は、トラック＃ｎ+１の先頭からデコードを開始し、オーディオアンプは、トラック＃ｎ+１のオーディオ属性に対応した設定条件にて、トラック＃ｎ+１を先頭から途切れることなくアナログオーディオ出力を発生する（ステップＳ１１１、図３の矢印９）。こうして、アナログオーディオ出力は、映像の開始と同期した音声を再生させることができる。
【００２９】
例えば、トラック＃ｎからトラック＃ｎ+１への移行によりサンプリング周波数ｆｓが４８ＫＨｚから９６ＫＨｚに変更になるような場合には、オーディオデコーダー４０によってその属性変更が検出されると、その検出結果に応答してオーディオマスタークロック６０が９６ＫＨｚの基準クロック出力に切り替えられる。しかし、オーディオアンプ側の出力はミュートされ、かつ、ＤＶＤプレーヤー１側のデコーダーはポーズされるため、この間を利用してオーディオアンプ側の設定条件（サンプリング周波数）が変更される。そして、オーディオアンプが側の設定条件が終了した後に、トラック＃ｎ+１のオーディオ信号の先頭からデコードが開始され、デコードされたディジタルオーディオ信号がオーディオアンプに出力される。オーディオアンプは、スピーカーを駆動するための所望のアナログオーディオを出力する。
【００３０】
このように、アナログオーディオ出力は、図３に示すようにオーディオアンプのミュートによりトラック＃ｎの終端５〜１０ｍｓが一部途切れるが、トラック＃ｎ+１については、その変更されたオーディオ属性に対応した動作条件にて先頭部分から再生を行うことができる。
【００３１】
次に、本発明の第２の実施例について説明する。図４は、第２の実施例に係るオーディオ属性変更時の各部の処理シーケンスを示す図である。第１の実施例では、オーディオ属性の変更があったことを示すスタンバイ通知が実質的にトラック＃ｎの終了前５〜１０ｍｓに出力され、かつオーディオアンプがミュートされるため、トラック＃ｎの一部が再生されないという点と、ＤＶＤプレーヤー側でスタンバイ実行を行うまでの数十ｍｓ間、デコーダーがトラック＃ｎ+１の一部をデコードしてしまい、映像の再生が進行してしまう点に改良が残されている。第２の実施例は、これらの改良点をさらに解決しようとするものである。
【００３２】
第２の実施例では、図４に示すように、オーディオ属性の変更があったとき、ＤＶＤプレーヤー１からのスタンバイ通知を、トラック＃ｎの終了のタイミングと一致させるようにする（図４の矢印１）。すなわち、第１の実施例と異なり、トラック＃ｎ+１のオーディオ信号のデコード時点からスタンバイ通知を出力するまでの期間を、約５〜１０ｍｓ（図３の期間ｔに相当）を遅延させる。あるいはこれとは別に、オーディオ出力バッファ５０のデータ蓄積時間を期間ｔだけ短縮するようにしてもよい。また、オーディオデコーダー４０がトラック＃ｎ+１のオーディオ信号をデコードしたとき、およびＭＰＥＧデコーダー２０がトラック＃ｎ+１のビデオ信号をデコードしたとき、各デコーダーは自動的にデコード動作を停止する。これによりオーディオデコーダー４０の出力は無くなり、ＭＰＥＧデコーダー２０は、トラック＃ｎの最後のフレームを出力し、その結果、ディスプレイ上にその静止画が表示される。
【００３３】
次に、システムコントロールＣＰＵ７０は、第１の実施例のようにオーディオアンプをミュートすることなく、ステータスの呼出しを行う（図４の矢印２）。オーディオデコーダー４０はトラック＃ｎ+１のオーディオ属性のステータスをシステムコントロールＣＰＵ７０に送信し（図４の矢印３）、システムコントロールＣＰＵ７０は、受け取ったステータスに基づきオーディオアンプ側の設定動作を変更させ、トラック＃ｎ+１の属性に対応させる（図４の矢印４）。
【００３４】
次にシステムコントロールＣＰＵ７０は、オーディオ属性変更を許可する通知を出力する（図４の矢印５）。この通知の一部は制御線７４を介してオーディオマスタークロック６０に出力され、オーディオ信号の出力条件が設定し直される。例えば、サンプリング周波数ｆｓが変更になる場合には、この時点で、オーディオマスタークロック６０のクロック周波数が切り替えられる。
【００３５】
次に、システムコントロールＣＰＵ７０は、トラック＃ｎ+１をサーチし、これの再生を開始するための指示を与える（図４の矢印６）。再生開始指示により、ＭＰＥＧビデオデコーダー２０およびオーディオデコーダー４０は、トラック＃ｎ+１のデコードを開始する。この間、オーディオデコーダー４０は、出力の無い状態にあるため、オーディオアンプからはアナログオーディオ出力がなく、無音再生となっている。
【００３６】
ＭＰＥＧビデオデコーダー２０およびオーディオデコーダー４０の動作再開により、オーディオアンプは、トラック＃ｎ+１のオーディオ属性に対応する動作条件にてアナログオーディオ出力をビデオ出力と同期して生成する。
【００３７】
このように第２の実施例では、オーディオ属性の変更が生じた場合、トラック＃ｎの最後の部分の音声再生が損なわれることなく、しかも、デコーダーによるトラック＃ｎ+１の冒頭部分のみをデコードさせることなく、理想的にトラック＃ｎ+１の先頭から連続したオーディオ出力を得ることができる。
【００３８】
以上、本発明の好ましい実施の形態について詳述したが、本発明は係る特定の実施形態に限定されるものではなく、特許請求の範囲に記載された本発明の要旨の範囲内において、種々の変形・変更が可能である。
【産業上の利用可能性】
【００３９】
本発明は、ディジタルオーディオ信号を再生するようなオーディオ装置において利用することができる。オーディオ装置は、ビデオ再生機能を有するものであってもよく、あるいは他の機能を複合的に備えるものであってもよい。さらにはナビゲーション装置のような機能と複合的であってもよいし、いくつかの装置から構成されるオーディオシステムであってもよい。
【図面の簡単な説明】
【００４０】
【図１】本発明の実施例に係るＤＶＤプレーヤーの主要な内部構成を示すブロック図である。
【図２】本発明の第１の実施例に係るオーディオ属性変更時の処理動作を示すフローチャートである。
【図３】第１の実施例に係る各部の処理シーケンスを示す図である。
【図４】第２の実施例に係る各部の処理シーケンスを示す図である。
【図５】従来のオーディオ装置の一構成例を示す図である。
【図６】従来のオーディオ属性変更時の課題を説明する図である。
【符号の説明】
【００４１】
１：ＤＶＤプレーヤー
１０：ＤＥＭＵＸ
２０：ＭＰＥＧビデオデコーダー
３０：ビデオ出力バッファ
４０：オーディオデコーダー
５０：オーディオ出力バッファ
６０：オーディオマスタークロック
７０：システムコントロールＣＰＵ
【図１】
2005084459.tif 000003
【図２】
2005084459.tif 000004
【図３】
2005084459.tif 000005
【図４】
2005084459.tif 000006
【図５】
2005084459.tif 000007
【図６】
2005084459.tif 000008